(57)【要約】表示装置（１）のベース部材に昇降スタンド（３）を設けた。昇降スタンドは固定支柱と昇降可能な昇降支柱を取り付けてなる。アダプタホルダー（９）はＡＣアダプタ（１０）を装着する装着枠（１３）と固定支柱に係止させる取り付け部（１２）とを有する。取り付け部と装着枠の間に仕切り板（１４）を設け、その両端部に略Ｌ字形状の一対の装着板（２１）を配設した。取り付け部（１２）側では、凹曲面の上部に第一係合部（１６）を所定間隔で形成して固定支柱の上端面に係止させた。凹曲面と装着板の先端交差部に固定支柱を挟む一対の第二係合部（１８ａ）を形成した。装着板では、第二係合部（１８ａ）の延長状をスリットで仕切った板部に作用部（２４）を形成し、作用部を押すことで仕切り面を支点として板部を弾性変形させて第一係合部と第二係合部を固定支柱から離間させる。
2012053107.tif 000002
【特許請求の範囲】
【請求項１】
アダプタを着脱可能に装着する装着部と、該装着部とは反対側に設けられていて他の部材へ着脱可能とされた取り付け部と、を備えたことを特徴とするアダプタホルダー。
【請求項２】
前記取り付け部は、前記他の部材に係止させる係合部と、仕切り部を介して前記係合部の反対側に形成されていて前記仕切り部を支点として弾性変形により前記係合部を開閉させる一対の作用部とを備えており、
前記仕切り部と作用部は前記装着部を構成してなる請求項１に記載されたアダプタホルダー。
【請求項３】
前記係合部は、前記他の部材の長手方向に略直交する方向に形成されていて前記他の部材の上面に係止されてなる第一係合部と、前記他の部材の長手方向に設けられていて前記他の部材を挟持する第二係合部と、を備えている請求項１または２に記載されたアダプタホルダー。
【請求項４】
前記第一係合部と第二係合部を接続する凹曲面が設けられ、該凹曲面に摩擦パッドが取り付けられている請求項１乃至３のいずれかに記載されたアダプタホルダー。
【請求項５】
前記装着部の底部でアダプタを支持すると共に前記底部にはアダプタに取り付けられたコードが挿通する凹部が設けられている請求項１乃至４のいずれか１項に記載されたアダプタホルダー。
【請求項６】
ベース部材に支持されたスタンドにディスプレイを備えた表示装置において、
請求項１乃至５のいずれか１項に記載されたアダプタホルダーが取り付けられ、前記他の部材は前記スタンドであることを特徴とするアダプタホルダーを備えた表示装置。
【請求項７】
前記スタンドは固定支持部と固定支持部に対して昇降可能な昇降支持部とを有しており、前記固定支持部の上端に前記アダプタホルダーの第一係合部が係止され、前記固定支持部の周囲に前記第二係合部が係止されている請求項６に記載されたアダプタホルダーを備えた表示装置。
【発明の詳細な説明】
【技術分野】
【０００１】
本発明は、液晶ディスプレイ等の各種のディスプレイを昇降可能に支持するアダプタホルダー及びアダプタホルダーを備えた表示装置に関する。
【背景技術】
【０００２】
近年、パソコンやテレビ等のディスプレイ用モニターを備えた表示装置として、液晶ディスプレイやプラズマディスプレイ等に代表される薄型の表示装置が広く普及している。これらの表示装置の中には昇降可能な昇降スタンドで支持されているものがある。この昇降スタンドには観察者の目の高さに合わせてディスプレイの高さ位置を調整可能な高さ調整機構が備えられている。【０００３】
このような昇降スタンドを備えた表示装置として、例えばパーソナルコンピュータのディスプレイに昇降スタンドを取り付けたものがある。例えば特許文献１に記載された表示装置は、昇降スタンドとしてベース部に支持されたガイド部材にディスプレイを備えた昇降部材が昇降可能に嵌挿されている。このガイド部材と昇降部材はいずれも断面略四角形状に形成され、両部材の間にはワンウエイクラッチを用いたフリクション機構が設けられている。昇降部材を手動で上方に持ち上げるとフリクション機構のガイド部材が若干上に移動することでワンウエイクラッチの板バネによる押圧力を弱めて昇降部材が軽い力で上方移動するように構成されている。
或いはフリクション機構として、コンストンスプリングにトルクリミッターを設けて、昇降部材の上昇時にはフリクションローラに対するスプリングの巻き付け力を弱めることでフリクションローラの回転を容易にして軽い力で昇降部材を上昇させるようにしている。【０００４】
また、特許文献２に記載されたディスプレイスタンドでは、ディスプレイが昇降可能な支持パイプを介して支持されており、この支持パイプは下側パイプに対して上側パイプが昇降可能であり、ボルトで互いに連結されている。そして、ボルトを緩めた状態でディスプレイの上下位置を調節させ、任意の高さ調節位置でボルトを再度締結することで支持パイプを固定してディスプレイを支持できる。
【先行技術文献】
【特許文献】
【０００５】
【特許文献１】特開２００５−３００９２２号公報
【特許文献２】特開２００３−９１２４２号公報
【発明の概要】
【発明が解決しようとする課題】
【０００６】
ところで、上述した表示装置は、電源コードにＡＣアダプタを取り付けたものがあり、ＡＣアダプタは交流電源のＡＣ電流をＤＣ電流に変換して表示装置のディスプレイにＤＣ電流を供給したり、高電圧から低電圧に変換して表示装置に電流を供給するようにしている。
通常、これらＡＣアダプタは熱源の分離や設計の容易さ、ノイズを避ける等の理由によって例えば電源コードの途中にディスプレイと分離して設けられているが、重量があって嵩張るために場所を取り、邪魔であった。【０００７】
本発明は、このような課題に鑑みて、アダプタが邪魔になることなく所定位置に位置決め保持できるようにしたアダプタホルダー及びアダプタホルダーを備えた表示装置を提供することを目的とする。
【課題を解決するための手段】
【０００８】
本発明によるアダプタホルダーは、アダプタを着脱可能に保持する装着部と、該装着部とは反対側に設けられていて他の部材へ着脱可能とされた取り付け部と、を備えたことを特徴とする。
本発明によるアダプタホルダーによれば、他の部材に取り付け部で取り付けたアダプタホルダーの装着部にアダプタを保持することができ、アダプタをアダプタホルダーによって所定位置に保持できて邪魔にならない。【０００９】
また、本発明によるアダプタホルダーでは、取り付け部は、他の部材に係止させる係合部と、仕切り部を介して係合部の反対側に形成されていて仕切り部を支点として弾性変形により係合部を開閉させる一対の作用部とを備えており、仕切り部と作用部は装着部を構成している。
アダプタホルダーの装着部の一部を構成する作用部を互いに近接する方向に押すことで、仕切り部を支点として取り付け部の係合部が弾性変形によって互いに離間する方向に開放され、他の部材に対して取り付け部を取り外すことができる。また、作用部を近接方向に押した状態で係合部を他の部材に挟み込み、そして作用部を離すことで取り付け部を係合部により他の部材に係止できる。そして、作用部と仕切り部とを含む装着部にアダプタを装着して保持できる。【００１０】
また、係合部は、他の部材の長手方向に略直交する方向に形成されていて他の部材の上面に載置されてなる第一係合部と、他の部材の長手方向に設けられていて他の部材を挟持する第二係合部と、を備えていることが好ましい。
第一係合部を他の部材の上面に載置して係止させることで、装着されるアダプタの荷重がかかってもアダプタホルダーを降下させることなく保持でき、また、第二係合部を他の部材に挟持させることで、アダプタホルダーを他の部材に係止させて水平方向に位置ずれを起こしたり抜けたりすることを防止できる。そして、他の部材を中心にアダプタホルダーを回動可能に保持できるから、アダプタホルダーに対するアダプタの装着位置と両者の保持位置を選択できる。【００１１】
また、第一係合部と第二係合部を接続する凹曲面が設けられ、この凹曲面に摩擦パッドが取り付けられていることが好ましい。
凹曲面に保持された他の部材に対してアダプタホルダーを回転可能に支持すると共に摩擦パッドを設けることでアダプタホルダーの回転を摩擦パッドの摩擦力で抑制できる。【００１２】
また、装着部の底部でアダプタを支持すると共に底部にはアダプタに取り付けられたコードが挿通する凹部が設けられている。
アダプタをアダプタホルダーに装着した際、アダプタを装着部の底部に支持できると共にコードは凹部から下方に延ばすことができて装着の妨げにならない。【００１３】
本発明によるアダプタホルダーを備えた表示装置は、ベース部材に支持されたスタンドにディスプレイを備えた表示装置において、上述したいずれかのアダプタホルダーが取り付けられ、しかもアダプタホルダーを取り付ける他の部材はスタンドであることを特徴とする。
本発明によれば、スタンドに取り付けたアダプタホルダーの装着部にアダプタを収容して保持することができて邪魔にならない。【００１４】
また、本発明による表示装置は、スタンドは固定支持部と固定支持部に対して昇降可能な昇降支持部とを有しており、固定支持部の上端にアダプタホルダーの第一係合部が係止され、固定支持部の周囲に第二係合部が係止されている。
また、アダプタを収容可能なアダプタホルダーは第一係合部と第二係合部によってスタンドに支持されてスタンド回りに回動可能であり、アダプタの装着位置と保持位置とを選択できて自由度があり、しかも邪魔にならない。
【発明の効果】
【００１５】
上述したように、本発明によるアダプタホルダー及びアダプタホルダーを備えた表示装置によれば、他の部材に取り付け部で取り付けたアダプタホルダーの装着部にアダプタを保持することができて、アダプタを所定位置に保持できて机上や床上等に散乱することなどがないから邪魔にならない。
【図面の簡単な説明】
【００１６】
【図１】本発明の実施形態による表示装置の昇降スタンドとアダプタホルダーを分離して示す斜視図である。
【図２】図１に示す表示装置の昇降スタンドに装着されたアダプタホルダーとＡＣアダプタとを示す斜視図である。
【図３】図２に示すアダプタホルダーの要部拡大図である。
【図４Ａ】摩擦パッドを分離して示すアダプタホルダーの斜視図である。
【図４Ｂ】摩擦パッドを装着したアダプタホルダーの斜視図である。
【図５】アダプタホルダーを装着枠側から見た斜視図である。
【発明を実施するための形態】
【００１７】
以下、本発明の実施形態について添付図面に基づいて説明する。
図１及び図２に示すように、表示装置１は、基盤状のベース部材２に昇降可能な昇降スタンド３が取り付けられ、昇降スタンド３の上部には液晶ディスプレイ等のディスプレイ４とその支持部５が取り付けられている。
昇降スタンド３は、ベース部材２に固定された固定支柱６と固定支柱６に対して昇降可能な昇降支柱７とで構成されており、これら固定支柱６及び昇降支柱７は例えば略円筒状に形成されている。図３に示すように、固定支柱６に対して昇降支柱７は比較的小径とされており、固定支柱６の上端面６ａと昇降支柱７との間に段差が形成されている。
昇降支柱７の上端には、昇降支柱７に対して、ディスプレイ４を固定した支持部５が回転可能に設けられており、支持部５と一体にディスプレイ４が回動可能とされている。
【００１８】
そして、昇降スタンド３の固定支柱６にはアダプタホルダー９が着脱可能に取り付けられている。アダプタホルダー９は、ディスプレイ４に電流を供給するためのアダプタを装着できるようになっている。アダプタとして、例えば交流電源から交流電流を入力して直流電流に変換して出力するＡＣアダプタ１０が用いられる。或いは、交流電源の変圧だけを行うＡＣアダプタ等を用いてもよい。
【００１９】
次に、アダプタホルダー９の構成について図４及び図５により説明する。
図４Ａ、図４Ｂ、図５において、アダプタホルダー９は、昇降スタンド３の固定支柱６に取り付けるための取り付け部１２とＡＣアダプタ１０を装着保持するための装着枠１３とが仕切り板１４を挟んでその両側に形成されている。
取り付け部１２は、仕切り板１４の上端から仕切り板１４に略直交する方向に平板状に延びて支持板１５が形成され、支持板１５には固定支柱６を嵌合するための略円弧状の凹部１５ａが形成されている。この凹部１５ａを形成する内周縁が１８０度を超える長さに亘って延びており、凹部１５ａの内周縁には間隔を開けて複数の歯部からなる第一係合部１６が形成されている（図３参照）。なお、第一係合部１６を間隔を開けて形成したのは、後述するように凹部１５ａを広げて弾性変形可能にするためである。
【００２０】
また、支持板１５の凹部１５ａから下方に向けて略円筒内周面の一部を形成する凹曲面１８が形成され、凹曲面１８の周方向両端には対向する例えば線状をなす二本の第二係合部１８ａが形成されている。また、凹曲面１８にはアダプタホルダー９が固定支柱７回りに回転するのを抑制するための例えばゴム等の摩擦抵抗の大きい摩擦パッド１９が貼り付けられている。
【００２１】
また、アダプタホルダー９において、仕切り板１４の幅方向両端部には、取り付け部１２の各第二係合部１８ａから仕切り板１４を超えて装着枠１３の領域に延びる略Ｌ字形状をなす一対の装着板２１が形成されている。この装着板２１の第二係合部１８ａとは反対側の端部が内側に屈曲または湾曲して係止部２１ａが形成され、装着枠１３は仕切り板１４と装着板２１とで断面略コの字形状を形成している。
装着枠１３の下部にはＡＣアダプタ１０を支持する底面２２が設けられ、底面２２はＡＣアダプタ１０の下方に延びるコードを受け入れ可能なように凹部２２ａが形成されている。装着枠１３の上部は開口されている。
そして、装着枠１３の装着板２１において、第二係合部１８ａと略同一幅をなすように係止部２１ａから仕切り板１４近傍までスリット２３が形成されている。装着板２１の上端からスリット２３までの領域において、第二係合部１８ａから係止部２１ａまでの一体の板部２１ｂは仕切り板１４を支点として弾性変形可能であり、この板部２１ｂの装着枠１３の領域を作用部２４とする。
そして、装着枠１３の一対の作用部２４を指で互いに内側に押すと、板部２１ｂが弾性変形して第二係合部１８ａが開放可能であり、板部２１ｂと一体に支持板１５及び第一係合部１６も弾性変形して開放可能になる。
【００２２】
本実施形態によるアダプタホルダー９を備えた表示装置１は上述の構成を備えており、次にアダプタホルダー９の使用方法について説明する。
先ず、図１において、表示装置１の昇降スタンド３における固定支柱６に空のアダプタホルダー９を装着する。そのため、空のアダプタホルダー９の一対の作用部２４を内側に押すことで一対の板部２１ｂが仕切り板１４を支点として弾性変形によって回動し、支持板１５の第一係合部１６と板部２１ｂの第二係合部１８ａが凹部１５ａ及び凹曲面１８を開くように回動する。
【００２３】
そして、取り付け部１２の凹部１５ａ及び凹曲面１８を昇降スタンド３の固定支柱６に嵌合させる。このとき、第二係合部１８ａで固定支柱６の周面を把持し、支持板１５を固定支柱６の上端面６ａに載せて凹部１５ａ内に昇降支柱７を嵌入させて第一係合部１６を上端面６ａに位置させる。そして作用部２４を離すことで板部２１ａの弾性変形が元の形状に復帰し、取り付け部１２の第二係合部１８ａによって固定支柱６の周面を挟持して把持すると共に第一係合部１６を固定支柱６の上端面６ａに当接させる。    
これにより、第二係合部１８ａは固定支柱６の１８０度の範囲を超えて外周面を把持し、図３に示すように第一係合部１６は固定支柱６の上端面６ａに載せられて垂下される。この状態でアダプタホルダー９は昇降スタンド３の回りに回転可能であり、凹曲面１８に貼着された摩擦パッド１９が固定支柱６の外周面に接触してその回転を抑制する。
【００２４】
そのため、例えば図２に示すように昇降スタンド３の固定支柱６から昇降支柱７を上昇させた状態では、裏面からだけでなく表示装置１の側面や前面等からアダプタホルダー９にＡＣアダプタ１０を装着可能である。装着に際して、ＡＣアダプタ１０をアダプタホルダー９の装着枠１３の上方の開口から仕切り板１４と作用部２４との間に降下させて底面２２上に着座させ、この状態でＡＣアダプタ１０の下面から下方に延びるコードは凹部２２から下方に延びる。
このようにして、昇降スタンド３に取り付けたアダプタホルダー９にＡＣアダプタ１０を装着できる。例えば、表示装置１の側面や前面等からＡＣアダプタ１０をアダプタホルダー９に装着した場合、アダプタホルダー９を昇降スタンド３の裏面に回転させて保持することができる。これにより、表示装置１の表面側から見ると、アダプタホルダー９とＡＣアダプタ１０は昇降スタンド３の裏面に位置するため目立たず見栄えがよい。
【００２５】
上述のように本実施形態によるアダプタホルダー９によれば、アダプタホルダー９は装着枠１３の一対の装着板２１に設けた作用部２４で仕切り板１４を支点にして弾性変形させることで第一係合部１６及び第二係合部１８ａを開閉作動させて固定支柱６への装着と取り外しが容易で確実である。しかも取り付け状態で、第一係合部１６を固定支柱６の上端面６ａに載置させることでＡＣアダプタ１０の荷重によって降下しないように把持できると共に、第二係合部１８ａを固定支柱６の外周面に係合状態で把持させることでアダプタホルダー９が水平方向に位置ずれしたり抜けたりすることを防止できる。しかも、第一係合部１６と第二係合部１８ａは固定支柱６の半円を超える範囲に延びて固定支柱６を囲うように取り付けるから容易に離脱することがない。
【００２６】
また、本実施形態によるアダプタホルダー９を備えた表示装置１は、従来、机の上や床面等に置いてあったＡＣアダプタ１０を、昇降スタンド３の固定支柱６に取り付けたアダプタホルダー９に装着することで、位置決め保持することができ、邪魔にならない。
しかも、固定支柱６に第一係合部１６と第二係合部１８ａによって装着したアダプタホルダー９は固定支柱６回りに回転可能であるから、アダプタホルダー９自体の固定支柱６への装着と取り外しを任意の角度位置で行うことが出来る。また、昇降スタンド３に対して固定支柱６に取り付けたアダプタホルダー９を昇降スタンド３の例えば側面や前面側に位置させてＡＣアダプタ１０を装着して、昇降スタンド３の裏面側に回転させて保持すればＡＣアダプタ１０の取り付け位置と保持位置の自由度が増して使い勝手がよくなり、表示装置１の前面側から見えにくいので見栄えがよい。
【００２７】
なお、本発明は上述した実施形態に限定されるものではなく、その趣旨を逸脱しない範囲内で適宜変更可能である。
例えば、上述した実施形態による表示装置１では、スタンドは固定支柱６と昇降支柱７とで昇降可能に構成されているが、これに代えてスタンドは昇降しない固定支柱６のみからなっていてもよい。
そのため、固定支柱６にアダプタホルダー９を装着した状態で、ＡＣアダプタ１０を装着する際、必ずしも表示装置１の前側から装着できなくてもよい。或いは、固定支柱６の長さを比較的長く設定して、その途中に第一係合部１６を載置して係止させるための凹部または溝部を形成しておけば、ＡＣアダプタ１０を前側や横側からアダプタホルダー９に積載して、アダプタホルダー９を裏面側に回転させることで、上述の実施形態と同様にＡＣアダプタ１０の装着位置と保持位置の自由度が増して使い勝手がよくなる。
【００２８】
また、上述したアダプタホルダー９は、昇降スタンド３や昇降しない固定支柱６からなるスタンドを含む各種のスタンドに取り付け固定するための取り付け部として、上方から係止させる第一係合部と外周面に係止させる第二係合部とを備えているが、必ずしも二種の係合部を有する必要はない。例えば、第一係合部と第二係合部のいずれか一方だけが設けられていてもよい。
なお、昇降スタンド３に対するアダプタホルダー９の取り付け位置は固定支柱６に限定されない。例えば昇降支柱７に取り付けるようにしてもよい。この場合、昇降支柱７または頭部５に第一係合部１６を装着できればよい。第一係合部１６は頭部５の頂面に載置させるか、昇降支柱７の上端部に凹部を形成して係止できるようにすればよい。
【産業上の利用可能性】
【００２９】
本発明は、装着部の一対の作用部で仕切り板を支点にして弾性変形させることで第一係合部及び第二係合部を開閉作動させて固定支柱等の他の部材への装着と取り外しが容易であり、しかも取り付け状態で、第一係合部を他の部材の上端面に載置させることで垂下して支持できると共に第二係合部を他の部材の外周面に係合状態に保持できて位置ずれを防ぐことによって、容易に離脱しないアダプタホルダーを提供する。【００３０】
また、本発明による表示装置は、従来、机の上や床面等においてあったＡＣアダプタ等のアダプタを、スタンドに取り付けたアダプタホルダーに装着することで位置決め保持することができて邪魔にならない。しかも、アダプタホルダーをスタンドの側面や前面側に位置させてアダプタを装着してスタンドの裏面側に回転させて位置決めすれば、アダプタの装着位置と保持位置の自由度が増して使い勝手がよいアダプタホルダーを提供する。
【符号の説明】
【００３１】
１  表示装置
２  ベース部材
３  昇降スタンド
４  ディスプレイ
６  固定支持部
６ａ  上端面
７  昇降支持部
９  アダプタホルダー
１０  ＡＣアダプタ
１２  取り付け部
１３  装着枠
１４  仕切り面
１５  支持部
１６  第一係合部
１８  凹曲面
１８ａ  第二係合部
１９  摩擦パッド
２１  装着板
２１ｂ  板部
２２  底部  
２２ａ  凹部
２３  スリット
２４  作用部
【図１】
2012053107.tif 000003
【図２】
2012053107.tif 000004
【図３】
2012053107.tif 000005
【図４Ａ】
2012053107.tif 000006
【図４Ｂ】
2012053107.tif 000007
【図５】
2012053107.tif 000008
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
アダプタを着脱可能に装着する装着部と、該装着部とは反対側に設けられていて他の部材へ着脱可能とされた取り付け部と、を備え、
前記取り付け部は、前記他の部材に係止させる係合部と、仕切り部を介して前記係合部の反対側に形成されていて前記仕切り部を支点として弾性変形により前記係合部を開閉させる一対の作用部とを備えており、
前記仕切り部と作用部は前記装着部を構成してなることを特徴とするアダプタホルダー。
【請求項２】
前記係合部は、前記他の部材の長手方向に略直交する方向に形成されていて前記他の部材の上面に係止されてなる第一係合部と、前記他の部材の長手方向に設けられていて前記他の部材を挟持する第二係合部と、を備えている請求項１に記載されたアダプタホルダー。
【請求項３】
前記第一係合部と第二係合部を接続する凹曲面が設けられ、該凹曲面に摩擦パッドが取り付けられている請求項１または２に記載されたアダプタホルダー。
【請求項４】
前記装着部の底部でアダプタを支持すると共に前記底部にはアダプタに取り付けられたコードが挿通する凹部が設けられている請求項１乃至３のいずれか１項に記載されたアダプタホルダー。
【請求項５】
ベース部材に支持されたスタンドにディスプレイを備えた表示装置において、
請求項１乃至４のいずれか１項に記載されたアダプタホルダーが取り付けられ、前記他の部材は前記スタンドであることを特徴とするアダプタホルダーを備えた表示装置。
【請求項６】
前記スタンドは固定支持部と固定支持部に対して昇降可能な昇降支持部とを有しており、前記固定支持部の上端に前記アダプタホルダーの第一係合部が係止され、前記固定支持部の周囲に前記第二係合部が係止されている請求項５に記載されたアダプタホルダーを備えた表示装置。
【手続補正２】
【補正対象書類名】明細書
【補正対象項目名】０００８
【補正方法】変更
【補正の内容】
【０００８】
本発明によるアダプタホルダーは、アダプタを着脱可能に保持する装着部と、該装着部とは反対側に設けられていて他の部材へ着脱可能とされた取り付け部と、を備え、取り付け部は、他の部材に係止させる係合部と、仕切り部を介して係合部の反対側に形成されていて仕切り部を支点として弾性変形により係合部を開閉させる一対の作用部とを備えており、仕切り部と作用部は装着部を構成してなることを特徴とする
本発明によるアダプタホルダーによれば、他の部材に取り付け部で取り付けたアダプタホルダーの装着部にアダプタを保持することができ、アダプタをアダプタホルダーによって所定位置に保持できて邪魔にならない。
【手続補正３】
【補正対象書類名】明細書
【補正対象項目名】０００９
【補正方法】変更
【補正の内容】
【０００９】
しかも、アダプタホルダーの装着部の一部を構成する作用部を互いに近接する方向に押すことで、仕切り部を支点として取り付け部の係合部が弾性変形によって互いに離間する方向に開放され、他の部材に対して取り付け部を取り外すことができる。また、作用部を近接方向に押した状態で係合部を他の部材に挟み込み、そして作用部を離すことで取り付け部を係合部により他の部材に係止できる。そして、作用部と仕切り部とを含む装着部にアダプタを装着して保持できる。
【国際調査報告】
2012053107.tif 000009
2012053107.tif 000010